(57)【要約】 【課題】  機械全体の大きさを小型化しつつ、各ユーザーの使用形態に応じて最適に収納部を割り当てることが可能な紙幣処理機を提供する。【解決手段】  紙幣を一時貯留させる一時貯留部８ａ，８ｂ，８ｃ，８ｄ，８ｅと、この一時貯留部８ａ〜８ｅの下側に設けられ、一時貯留部８ａ〜８ｅに一時貯留された紙幣を受け入れて収納する紙幣収納部９ａ，９ｂ，９ｃ，９ｄ，９ｅとを有する一時貯留・収納部１７ａ，１７ｂ，１７ｃ，１７ｄ，１７ｅを備えた紙幣処理機１において、複数の一時貯留・収納部１７ｂ，１７ｃを上下に重ねて配置するとともに、複数の一時貯留・収納部１７ｄ，１７ｅを上下に重ねて配置し、このように上下に重ねて配置された複数の一時貯留・収納部１７ｂ，１７ｃ及び一時貯留・収納部１７ｄ，１７ｅを、横方向に配列する。【選択図】    図１
2006195797.tif 000002
【特許請求の範囲】
【請求項１】
紙幣を一時貯留させる一時貯留部と、該一時貯留部の下側に設けられ、該一時貯留部に一時貯留された紙幣を受け入れて収納する収納部とを有する一時貯留・収納部を備えた紙幣処理機において、
複数の前記一時貯留・収納部を上下に重ねて配置し、このように上下に重ねて配置された複数の一時貯留・収納部を、さらに横方向に複数配列したことを特徴とする紙幣処理機。
【請求項２】
上下に重ねて配置された前記複数の一時貯留・収納部のそれぞれの上下方向長さは、これら一時貯留・収納部以外の一時貯留・収納部の上下方向の長さよりも小さく設定されていることを特徴とする請求項１記載の紙幣処理機。
【請求項３】
上下に重ねて配置された前記複数の一時貯留・収納部の最上部の高さ位置は、これら一時貯留・収納部以外の一時貯留・収納部の最上部の高さ位置に対し同等以下に設定されていることを特徴とする請求項１または請求項２記載の紙幣処理機。
【請求項４】
上下に重ねて配置された前記複数の一時貯留・収納部の全体の上下方向長さは、これら一時貯留・収納部以外の一時貯留・収納部の上下方向の長さと比して同等以下に設定されていることを特徴とする請求項１から請求項３のいずれか一項に記載の紙幣処理機。
【請求項５】
上下に重ねて配置された前記複数の一時貯留・収納部以外の１以上の一時貯留・収納部に、紙幣を金種混合で収納することを特徴とする請求項１から請求項４のいずれか一項に記載の紙幣処理機。
【請求項６】
上下に重ねて配置された前記複数の一時貯留・収納部以外の１以上の一時貯留・収納部に、万円券を収納することを特徴とする請求項１から請求項５のいずれか一項に記載の紙幣処理機。
【請求項７】
上下に重ねて配置された前記複数の一時貯留・収納部、及び、それ以外の一時貯留・収納部の中から２以上の一時貯留・収納部に、同一の金種の紙幣を収納することを特徴とする請求項１から請求項６のいずれか一項に記載の紙幣処理機。
【請求項８】
前記収納部は、一時貯留部に一時貯留された紙幣を受け入れて収納する一方、収納した紙幣を最下のものから繰り出し可能な繰出装置を備えることを特徴とする請求項１から請求項７のいずれか一項に記載の紙幣処理機。
【発明の詳細な説明】
【技術分野】
【０００１】
本発明は、入金された紙幣を金種別に収納する紙幣処理機に関するものである。
【背景技術】
【０００２】
銀行等の出納機の一部として用いられ、バラ紙幣の入金あるいは出金等を行う紙幣処理機として、例えば、投入された紙幣を一枚ずつ分離して機体内に取り込むとともに、この取り込んだ紙幣の真偽及び金種等を鑑別し、この鑑別結果に応じて目的の位置まで搬送する入出金ユニットと、該入出金ユニットから送り込まれた紙幣を金種別に一時貯留する一時貯留ユニットと、該一時貯留ユニットに一時貯留される紙幣を金種別に収納するとともにこれを出金用紙幣として繰り出し可能な金種別入出金収納部を有する収納部ユニットとから構成されるものが知られている。（例えば、特許文献１参照）
【特許文献１】特許第３５１５４００号公報
【発明の開示】
【発明が解決しようとする課題】
【０００３】
ところで、このような紙幣処理機は、銀行等の出納機として使用されるため、処理する紙幣の金種は流通している紙幣の全金種分必要であり、かつ収納部を大きく設ける要望がある。
しかし、万円券や千円券等の流通量の多い金種の処理量と二千円券や五千円券等の流通量の少ない金種の処理量は異なっており、流通量の多い金種に合わせて収納部の大きさを設定すると、機械が大型化するのは勿論のこと、流通量の少ない金種の収納部は無駄に大きくなってしまい、その機能を有効的に活用できないままになる。逆に流通量の少ない金種に合わせて収納部の大きさを設定すると、機械を小型化することはできても、流通量の多い金種の収納部はすぐに満杯になってしまい、満杯になった紙幣の回収作業を多々行わなければならない煩わしさが生じる。
また、これら金種別の処理量は、使用するユーザーによっても差があり、単純に二千円券や五千円券の収納部は小さく、万円券や千円券等の収納部は大きく設定しただけでは全てのユーザーを満足させることはできない。
【０００４】
本発明は、このような問題に鑑み、機械全体の大きさを小型化しつつ、各ユーザーの使用形態に応じて最適に収納部を割り当てることが可能な紙幣処理機を提供することを目的とする。
【課題を解決するための手段】
【０００５】
上記目的を達成するために、請求項１に係る発明は、紙幣を一時貯留させる一時貯留部と、該一時貯留部の下側に設けられ、該一時貯留部に一時貯留された紙幣を受け入れて収納する収納部とを有する一時貯留・収納部を備えた紙幣処理機において、複数の前記一時貯留・収納部を上下に重ねて配置し、このように上下に重ねて配置された複数の一時貯留・収納部を、さらに横方向に複数配列したことを特徴とする。
【０００６】
請求項２に係る発明は、請求項１に係る発明において、上下に重ねて配置された前記複数の一時貯留・収納部のそれぞれの上下方向長さは、これら一時貯留・収納部以外の一時貯留・収納部の上下方向の長さよりも小さく設定されていることを特徴とする。
【０００７】
請求項３に係る発明は、請求項１または請求項２に係る発明において、上下に重ねて配置された前記複数の一時貯留・収納部の最上部の高さ位置は、これら一時貯留・収納部以外の一時貯留・収納部の最上部の高さ位置に対し同等以下に設定されていることを特徴とする。
【０００８】
請求項４に係る発明は、請求項１から請求項３のいずれか一項に係る発明において、上下に重ねて配置された前記複数の一時貯留・収納部の全体の上下方向長さは、これら一時貯留・収納部以外の一時貯留・収納部の上下方向の長さと比して同等以下に設定されていることを特徴とする。
【０００９】
請求項５に係る発明は、請求項１から請求項４のいずれか一項に係る発明において、上下に重ねて配置された前記複数の一時貯留・収納部以外の１以上の一時貯留・収納部に、紙幣を金種混合で収納することを特徴とする。
【００１０】
請求項６に係る発明は、請求項１から請求項５のいずれか一項に係る発明において、上下に重ねて配置された前記複数の一時貯留・収納部以外の１以上の一時貯留・収納部に、万円券を収納することを特徴とする。
【００１１】
請求項７に係る発明は、請求項１から請求項６のいずれか一項に係る発明において、上下に重ねて配置された前記複数の一時貯留・収納部、及び、それ以外の一時貯留・収納部の中から２以上の一時貯留・収納部に、同一の金種の紙幣を収納することを特徴とする。
【００１２】
請求項８に係る発明は、請求項１から請求項７のいずれか一項に係る発明において、前記収納部は、一時貯留部に一時貯留された紙幣を受け入れて収納する一方、収納した紙幣を最下のものから繰り出し可能な繰出装置を備えることを特徴とする。
【発明の効果】
【００１３】
請求項１の発明によれば、複数の一時貯留・収納部を上下方向に重ねて配置し、このような複数段重ねて配置された一時貯留・収納部を、さらに横方向に複数配列して設けることにより、多金種の紙幣を処理しなければならない紙幣処理機等においても、機械全体の大きさを小型化して設置面積を小さく抑えることができる。また、一時貯留・収納部の数を増やすことができるため、各ユーザーの使用形態に応じて最適に収納部を割り当てることが可能になる。
【００１４】
請求項２の発明によれば、上下に重ねて配置する複数の一時貯留・収納部のそれぞれの上下方向長さを、上下に重ねて配置しない一時貯留・収納部の上下方向長さに比して小さく設定することにより、上下に重ねて配置された一時貯留・収納部によって機械全体の高さが高くなってしまうのを抑えることが可能になる。
【００１５】
請求項３の発明によれば、上下に重ねて配置する複数の一時貯留・収納部の最上部の高さを、上下に重ねて配置しない一時貯留・収納部の最上部の高さに比して同等以下に設定することにより、上下に重ねて配置された一時貯留・収納部によって機械全体の高さが高くなってしまうのを抑えることが可能になる。
【００１６】
請求項４の発明によれば、上下に重ねて配置する複数の一時貯留・収納部の全体の上下方向長さを、上下に重ねて配置しない一時貯留・収納部の上下方向長さに比して同等以下に設定することで、一時貯留・収納部全体の上下方向長さを短く抑えることが可能になる。
【００１７】
請求項５の発明によれば、上下に重ねて配置された複数の一時貯留・収納部以外の大容量の一時貯留・収納部に金種を問わずオーバーフロー紙幣を収納することができるので、オーバーフローによる機械停止の煩わしさを低減することができる。
【００１８】
請求項６の発明によれば、上下に重ねて配置する複数の一時貯留・収納部以外の大容量の一時貯留・収納部に流通量の多い万円券を収納することで、オーバーフローによる機械停止の煩わしさを低減することができる。
【００１９】
請求項７の発明によれば、同一の金種を２以上の一時貯留・収納部に収納することで、オーバーフローによる機械停止の煩わしさを低減することが可能である。
【００２０】
請求項８の発明によれば、収納部は、一時貯留部に一時貯留された紙幣を受け入れて収納するだけでなく、収納した紙幣を最下のものから繰り出し可能な繰出装置を備えているので、入金だけでなく、出金も行うことができる。
【発明を実施するための最良の形態】
【００２１】
以下、本発明の一実施形態について図面を参照して説明する。
本実施形態の紙幣処理機１は、バラ紙幣の入金、収納、回収及び出金等の紙幣に関する各処理を行うことが可能とされ、銀行等における出納機の一部として他の図示略の硬貨処理機等と組み合わせて用いられるものである。
【００２２】
本実施形態の紙幣処理機１は、図１に示すように、その外側部分を構成する機体５が略直方体形状をなしており、機体５の後面６側の上部にはバラ紙幣が投入される入金口７が設けられ、この入金口７に隣り合うようにして、機体５内からリジェクト紙幣が繰り出されるリジェクト口１０が設けられ、機体５の前面１２側の上部には機体５内から出金紙幣が繰り出される出金口１４が設けられている。これら入金口７、リジェクト口１０及び出金口１４は、いずれも機体前後方向の位置を合わせて設けられている。
【００２３】
入金口７には、入金口７に投入されたバラ紙幣を、図２に示す制御部６１からの動作指令によって一枚ずつ分離して機体５内に繰り出す紙幣繰出部１６が設けられており、この紙幣繰出部１６には、紙幣繰出部１６から繰り出された紙幣を搬送する入金搬送部１８が接続されている。なお、バラ紙幣は、長手方向を機体５の前後方向に直交させた姿勢で積層状態で入金口７に投入されるとともに、常にこの姿勢を維持した状態で機体５内で移動し、この姿勢でリジェクト口１０及び出金口１４へ繰り出される。
【００２４】
この入金搬送部１８は、紙幣繰出部１６から略水平に沿って前面１２側に延出する前方延出部２０と、この前方延出部２０の末端から下方に延出する下方延出部２２と、この下方延出部２２の末端から後面６側に延出する後方延出部２４とを有する入金搬送路２６を有しており、この入金搬送路２６の前方延出部２０には、入金口７に投入された紙幣の金種、真偽、正損及び搬送異常の識別と計数とを行う入金識別部２７が設けられている。
前方延出部２０における入金識別部２７よりも前面１２側つまり下流側からは、入金識別部２７により真紙幣かつ正紙幣で正常搬送と識別された紙幣以外のリジェクト紙幣をリジェクト口１０に搬送するリジェクト搬送路２９が分岐している。
【００２５】
さらに、入金搬送部１８は、入金搬送路２６の後方延出部２４における機体５の前面１２側から分岐して下方に延出する搬送路３２と、後方延出部２４における搬送路３２よりも機体後面６側の位置から分岐して下方に延出する搬送路３３と、この搬送路３３の途中位置から分岐してさらに下方に延出する搬送路３４と、後方延出部２４の末端から下方に延出する搬送路３５と、この搬送路３５の途中位置から分岐してさらに下方に延出する搬送路３６とを有している。
【００２６】
そして、入金搬送部１８のリジェクト搬送路２９を除く各末端位置つまり、搬送路３２〜３６の各末端位置には、入金識別部２７により真紙幣かつ正紙幣で正常搬送と識別された紙幣を金種別に分けて一時貯留させる複数具体的には５つの一時貯留部８ａ，８ｂ，８ｃ，８ｄ，８ｅが接続されている。なお、一時貯留部８ａ〜８ｅは、上側から紙幣を受け入れて上下方向に集積させた状態で一時貯留させることになり、このように一時貯留させた紙幣を下方に落下させる。
【００２７】
さらに、これら各一時貯留部８ａ〜８ｅの鉛直下方には、一時貯留部８ａ〜８ｅのそれぞれに一対一で対応する紙幣収納部９ａ，９ｂ，９ｃ，９ｄ，９ｅが設けられており、一時貯留部８ａ〜８ｅからの入金紙幣の受け入れを行う。
【００２８】
ここで、入金搬送路２６の後方延出部２４から分岐する搬送路３２〜３６のうち、最も機体前面１２側に位置する搬送路３２の末端には、５つの一時貯留部８ａ，８ｂ，８ｃ，８ｄ，８ｅのなかで唯一大容量の貯留が可能な一時貯留部８ａが接続されている。この一時貯留部８ａの鉛直下方には、同じく機体５内に配置される紙幣収納部９ａ，９ｂ，９ｃ，９ｄ，９ｅのなかで唯一大容量の収納が可能な紙幣収納部９ａが設けられている。
【００２９】
さらに、搬送路３２よりも機体後面６側の位置から分岐する搬送路３３の末端には、一時貯留部８ｂが、後方延出部２４の末端から下方に延出する搬送路３５には、一時貯留部８ｄが接続されている。そして、これら一時貯留部８ｂ，８ｄの鉛直下方には、一時貯留部８ｂに対応して紙幣収納部９ｂが、一時貯留部８ｄに対応して紙幣収納部９ｄが、それぞれ平面視で重なり合うように配置されている。
【００３０】
また、紙幣収納部９ｂの鉛直下方には、搬送路３３の途中位置から分岐して紙幣収納部９ｂの下方へと延出する搬送路３４の末端に接続される一時貯留部８ｃが配置されている。紙幣収納部９ｄの鉛直下方にも同様に、搬送路３５の途中位置から分岐して紙幣収納部９ｄの下方へと延出する搬送路３６の末端に接続される一時貯留部８ｅが配置されている。そして、これら一時貯留部８ｃ，８ｅの鉛直下方にも、一時貯留部８ｃに対応して紙幣収納部９ｃが、一時貯留部８ｅに対応して紙幣収納部９ｅが、それぞれ平面視で重なり合うように配置されている。
すると、一時貯留部を真上に備えた紙幣収納部が上下段に配置されることになる。
【００３１】
なお、各紙幣収納部９ａ〜９ｅは、一時貯留部８ａ〜８ｅのうち直上にあるものから紙幣を受け入れて上下方向に集積させた状態で収納することになり、全ての紙幣収納部９ａ〜９ｅの下部それぞれには、このように収納した紙幣を一枚ずつ分離して繰り出し可能な出金部（繰出装置）３７が設けられている。
【００３２】
各出金部３７には、各出金部３７から繰り出された紙幣を出金口１４へ搬送する出金搬送部３９が接続されている。この出金搬送部３９は、各紙幣収納部９ａ，９ｂ，９ｃ，９ｄ，９ｅから繰り出された紙幣を搬送する搬送路４１を有しており、この搬送路４１は、上段の紙幣収納部９ｂ，紙幣収納部９ｄから出金された紙幣を機体底部へと搬送する下方搬送路４３と、この下方搬送路４３の端末から機体前方に延出し、紙幣収納部９ｂ，紙幣収納部９ｄから出金された紙幣及び下段の紙幣収納部９ｃ，紙幣収納部９ｅから出金された紙幣を搬送する前方搬送路４５と、前方搬送路４５の端末から上方に延出するとともに、各紙幣収納部９ａ，９ｂ，９ｃ，９ｄ，９ｅから出金された紙幣を出金口１４へと搬送する上方搬送路４７と、この上方搬送路４７の途中から分岐して、上記入金搬送路２６の後方延出部２４へと接続する分岐路４９とを有している。
【００３３】
そして、上方搬送路４７の分岐路４９より下方（上流）側には、出金紙幣の金種、真偽、正損等の判別や、斜行、二重送り等の搬出の異常を確認する出金判別部５１が設けられている。
【００３４】
また、出金搬送部３９は、搬送路４１の上方搬送路４７における分岐路４９よりも上方（下流）側から分岐し機体前側に延出してリジェクトボックス５３に接続されるリジェクト搬送路５５を有しており、このリジェクト搬送路５５は、出金判別部５１で搬送異常紙幣等の出金不可と判別された出金不可紙幣をリジェクトボックス５３へと搬送することになり、その結果、出金可能な真券のみが出金口１４へと搬送される。なお、自己精査を行う際には、真券は、分岐路４９を介し入金搬送路２６に戻されて一時貯留部８ａ〜８ｅの金種に応じた各部へと搬送される。
なお、各搬送路の各分岐部分には、制御部６１からの指令を受けて作動する振分機構（振分手段）６３が設けられており、搬送される紙幣を、入金識別部２７もしくは出金判別部５１の識別／判別結果に基づいて振り分ける。
【００３５】
ここで、一時貯留部８ａ〜８ｅと紙幣収納部９ａ〜９ｅについてさらに述べる。
本実施形態の紙幣処理機１においては、上述したように、５つの一時貯留部８ａ，８ｂ，８ｃ，８ｄ，８ｅと、それぞれに対応する紙幣収納部９ａ，９ｂ，９ｃ，９ｄ，９ｅとが設けられており、流通する万円券、五千円券、二千円券及び千円券の４金種以上の紙幣を処理できるようになっている。
【００３６】
そして、一時貯留部８ａと紙幣収納部９ａとにより、一時貯留・収納部１７ａが構成され、機体５の前方に配置されている。
【００３７】
また、一時貯留部８ｂ及び紙幣収納部９ｂによって一時貯留・収納部１７ｂが構成され、一時貯留部８ｃ及び紙幣収納部９ｃによって一時貯留・収納部１７ｃが構成され、一時貯留部８ｄ及び紙幣収納部９ｄによって一時貯留・収納部１７ｄが構成され、さらに、一時貯留部８ｅ及び紙幣収納部９ｅによって一時貯留・収納部１７ｅが構成されている。これら一時貯留・収納部１７ｂ，１７ｃ，１７ｄ，１７ｅは、一時貯留・収納部１７ａよりも機体後方に配置され、一時貯留・収納部１７ａに並設されるようにして上段に一時貯留・収納部１７ｂが、その下段に一時貯留・収納部１７ｃが配置され、さらに、これら一時貯留・収納部１７ｂ及び一時貯留・収納部１７ｃの後方における上段に一時貯留・収納部１７ｄが、その下段に一時貯留・収納部１７ｅが配置されている。
【００３８】
一時貯留・収納部１７ｂと一時貯留・収納部１７ｃとは、平面視した時に重なり合うように配置されており、一時貯留・収納部１７ｄと一時貯留・収納部１７ｅも平面視した時に重なり合うように配置されている。
【００３９】
そして、上段とされる一時貯留・収納部１７ｂ及び一時貯留・収納部１７ｄは、互いの高さつまり最上部の高さ位置が同じとされており、上記一時貯留・収納部１７ａの最上部の高さもこれらと同じとされている。また、一時貯留・収納部１７ａ、下段の一時貯留・収納部１７ｃ及び一時貯留・収納部１７ｅにおけるそれぞれの底部の高さ位置についても互いに一致させた状態で配置されている。さらにこれら一時貯留・収納部１７ａ〜１７ｅは、機体左右方向の位置を合わせている。
【００４０】
ここで、一時貯留部８ａ〜８ｅは、各々機体５から機体側方に引き出し可能になっており、入金キャンセルを行う場合には、操作部によって入金キャンセルの指示入力を行うことで、一時貯留部８ａ〜８ｅの引き出しロックが解除され、引き出し可能な状態になり、これを引き出すことで、一時貯留された紙幣の回収を行う。
【００４１】
オペレータにより、入金させるバラ紙幣が入金口７に積層状態で投入され、図２に示す操作部６７から計数開始のための操作入力がなされると、制御部６１は、紙幣繰出部１６や入金搬送部１８等、入金処理を行うのに必要な各部に入金処理を行うための指令を発す。そして、その入金処理を行うための指令により、紙幣繰出部１６は、入金口７からバラ紙幣を一枚ずつ分離して繰り出し、入金搬送部１８は、繰り出されたバラ紙幣を所定の場所まで搬送する。なお、繰り出されたバラ紙幣は、搬送の途中で入金識別部２７により識別をされ、その識別結果に基づいて各振分機構６３によって各部に振り分けられる。すなわち、識別不能（偽、重送、斜行等）と識別された紙幣は、リジェクト口１０へと送り出され、真紙幣かつ正紙幣で正常搬送と識別された紙幣は各金種別に一時貯留・収納部１７ａ〜１７ｅの一時貯留部８ａ〜８ｅの対応する一つに送り込まれ一時的に貯留される。そして、入金口７から全ての紙幣が一旦繰り出され、リジェクト口１０及び一時貯留・収納部１７ａ〜１７ｅの一時貯留部８ａ〜８ｅのいずれかに送り込まれると、制御部６１は、入金識別部２７の計数結果を表示部６５に表示させる。この表示を見て、オペレータが操作部６７に入金承認の操作入力をすると、制御部６１は、一時貯留部８ａ〜８ｅに一時貯留させていた紙幣を下方の紙幣収納部９ａ〜９ｅへと落下させ、紙幣収納部９ａ〜９ｅに収納する。
なお、オペレータが操作部６７に上記入金承認の操作ではなく入金キャンセルの操作入力をすると、一時貯留部８ａ〜８ｅのうち紙幣を一時貯留させたものの引き出しロックが解除され、それによって該当する一時貯留部８ａ〜８ｅは機体５から側方に引き出し可能となり、その結果、一時貯留部８ａ〜８ｅの紙幣が取り出し可能となる。
【００４２】
また、例えば、オペレータにより操作部６７に「出金処理」の操作入力がなされると、制御部６１は、対応する金種の出金部３７と各搬送路４３，４５，４７によって構成される出金搬送部３９に出金処理のための動作指令を発し、動作指令を受けた対応する金種の出金部３７は、紙幣収納部９ａ〜９ｅのうち対応するものに収納されていた必要枚数の紙幣を最下のものから順に一枚ずつ分離して出金搬送部３９に繰り出し、出金搬送部３９は、繰り出された紙幣を出金口１４へ向けて搬送する。その途中、繰り出された紙幣は出金判別部５１で判別され、その判別結果に基づいて各振分機構６３によって各部に振り分けられる。すなわち、出金判別部５１で重送または斜行と判別された搬送異常紙幣はリジェクト搬送路５５を介してリジェクトボックス５３に収納させ、出金判別部５１で正常と判別された紙幣は出金口１４に送り出す。このようにして、出金可能な紙幣のみが出金口１４に送り込まれ、オペレータへと出金される。
【００４３】
上記の一時貯留・収納部１７ａ，１７ｂ，１７ｃ，１７ｄ，１７ｅは、金種毎の処理量によって受け入れる金種を任意に設定することができるようになっている。
例えば、一時貯留・収納部１７ａを万円券用、一時貯留・収納部１７ｂを千円券用、一時貯留・収納部１７ｃを千円券用、一時貯留・収納部１７ｄを二千円券用、一時貯留・収納部１７ｅを五千円券用とし、流通量の多い万円券を大容量の紙幣収納部９ａに収納してもよい。また、万円券に次いで流通量の多い千円券を２つの紙幣収納部９ｂ，９ｃに収納することにより大容量の紙幣収納部９ａに次ぐ収納容量を確保することができる。
【００４４】
さらに、大量に万円券を収納したい場合には、一時貯留・収納部１７ａ及び一時貯留・収納部１７ｂを万円券用、一時貯留・収納部１７ｃを千円券用、一時貯留・収納部１７ｄを二千円券用、一時貯留・収納部１７ｅを五千円券用としてもよい。
【００４５】
また、二千円券及び五千円券を出金させない場合には、一時貯留・収納部１７ａに二千円券と五千円券とを混合で収納し、一時貯留・収納部１７ｂ及び一時貯留・収納部１７ｃに万円券を、一時貯留・収納部１７ｄ及び一時貯留・収納部１７ｅに千円券を収納してもよい。
【００４６】
同じく、二千円券及び五千円券を出金させない場合には、一時貯留・収納部１７ａ及び一時貯留・収納部１７ｂに万円券を収納し、一時貯留・収納部１７ｃに二千円券と五千円券を混合で収納し、一時貯留・収納部１７ｄ及び一時貯留・収納部１７ｅに千円券を収納し、流通量の多い万円券をさらに大量に収納できるようにした上で、次いで流通量の多い千円券も一時貯留・収納部１７ａの大容量カセットに次ぐ収納量を確保するようにしてもよい。
【００４７】
また、全金種混合カセットを設ける場合には、一時貯留・収納部１７ａを混合用、一時貯留・収納部１７ｂを万円券用、一時貯留・収納部１７ｃを千円券用、一時貯留・収納部１７ｄを二千円券用、一時貯留・収納部１７ｅを五千円券用とし、金種を問わず収納可能な混合カセットを一時貯留・収納部１７ａに設定することでオーバーフローによる機械停止の煩わしさを低減することができる。
【００４８】
以下に、各一時貯留・収納部への収納金種の組み合わせについて表記する。
【００４９】
【表１】
2006195797.tif 000003
【００５０】
このような紙幣処理機１によれば、複数の一時貯留・収納部１７ｂ，１７ｃを上下方向に重ねて配置し、複数の一時貯留・収納部１７ｄ，１７ｅを上下方向に重ねて配置して、このような複数段重ねて配置された一時貯留・収納部１７ｂ，１７ｃ及び一時貯留・収納部１７ｄ，１７ｅを、横方向に配列して設けることにより、多金種の紙幣を処理しなければならない紙幣処理機１等においても、機械全体の大きさを小型化して設置面積を小さく抑えることができる。また、一時貯留・収納部１７ａ，１７ｂ，１７ｃ，１７ｄ，１７ｅの数を増やすことができるため、各ユーザーの使用形態に応じて最適に一時貯留・収納部１７ａ，１７ｂ，１７ｃ，１７ｄ，１７ｅを割り当てることが可能になる。
【００５１】
また、上下に重ねて配置する一時貯留・収納部１７ｂ，１７ｃ及び一時貯留・収納部１７ｄ，１７ｅの上下方向長さを、上下に重ねて配置しない一時貯留・収納部１７ａの上下方向長さに比して小さく設定することにより、上下に重ねて配置された一時貯留・収納部１７ｂ，１７ｃ及び一時貯留・収納部１７ｄ，１７ｅによって機械全体の高さが高くなってしまうのを抑えることが可能になる。
【００５２】
さらに、上下に重ねて配置する一時貯留・収納部１７ｂ，１７ｃ及び一時貯留・収納部１７ｄ，１７ｅの最上部の高さを、上下に重ねて配置しない一時貯留・収納部１７ａの最上部の高さに比して同等以下に設定することにより、上下に重ねて配置された一時貯留・収納部１７ｂ，１７ｃ及び一時貯留・収納部１７ｄ，１７ｅによって機械全体の高さが高くなってしまうのを抑えることが可能になる。
【００５３】
加えて、上下に重ねて配置する一時貯留・収納部１７ｂ，１７ｃ及び一時貯留・収納部１７ｄ，１７ｅの全体の上下方向長さを、上下に重ねて配置しない一時貯留・収納部１７ａの上下方向長さに比して同等以下に設定することで、一時貯留・収納部全体の上下方向長さを短く抑えることが可能になる。
【００５４】
そして、上下に重ねて配置された一時貯留・収納部１７ｂ，１７ｃ及び一時貯留・収納部１７ｄ，１７ｅ以外の大容量の一時貯留・収納部１７ａに金種を問わずオーバーフロー紙幣を収納することで、オーバーフローによる機械停止の煩わしさを低減することができる。
【００５５】
さらに、上下に重ねて配置する一時貯留・収納部１７ｂ，１７ｃ及び一時貯留・収納部１７ｄ，１７ｅ以外の大容量の一時貯留・収納部１７ａに流通量の多い万円券を収納することで、オーバーフローによる機械停止の煩わしさを低減することができる。
【００５６】
また、同一の金種を一時貯留・収納部１７ａ〜１７ｅのうち２以上のものに収納することで、オーバーフローによる機械停止の煩わしさを低減することが可能である。
【００５７】
その上、各紙幣収納部９ａ〜９ｅは、対応する一時貯留部８ａ〜８ｅに一時貯留された紙幣を受け入れて収納するだけでなく、収納した紙幣を最下のものから繰り出し可能な出金部３７を備えているので、入金だけでなく出金も行うことができる。
【００５８】
なお、紙幣収納部９ａ，９ｂ，９ｃ，９ｄ，９ｅは、各々が、機体５から着脱可能なカセット式の箱体であっても機体５から着脱不能な固定式の箱体であってもよい。固定式、着脱式のいずれにおいても、紙幣収納部９ａ〜９ｅは、機体５から機体前方または側方に引き出し可能になっており、紙幣のジャム処理時や、カセット式の場合の紙幣収納部着脱時には、図示せぬ操作キー等によってロックを解除することで、紙幣収納部９ａ，９ｂ，９ｃ，９ｄ，９ｅを引き出すことが可能になる。
【００５９】
なお、上記では入出金が可能な紙幣処理機１について述べたが、出金をしない入金専用の紙幣処理機であっても構わない。
また、大容量の一時貯留・収納部１７ａ、上下に重ねて配置する小容量の一時貯留・収納部１７ｂ，１７ｃ及び一時貯留・収納部１７ｄ，１７ｅの組み合わせの例について述べたが、これらは、いくつの組み合わせでも構わない。
さらに、一時貯留・収納部１７ｂ，１７ｃ及び一時貯留・収納部１７ｄ，１７ｅを機体５の上下方向に２段重ねて構成しているが、３段以上の複数段に積み重ねても構わない。
さらに、小容量の一時貯留・収納部１７ｂ〜１７ｅは、全て同容量の組み合わせでも、各々異なった容量の組み合わせでも構わない。
【図面の簡単な説明】
【００６０】
【図１】本発明における一実施形態の紙幣処理機を示す内部側面図である。
【図２】本発明における一実施形態の紙幣処理機の制御系を概略的に示すブロック図である。
【符号の説明】
【００６１】
１  紙幣処理機
８ａ，８ｂ，８ｃ，８ｄ，８ｅ  一時貯留部
９ａ，９ｂ，９ｃ，９ｄ，９ｅ  紙幣収納部
１７ａ，１７ｂ，１７ｃ，１７ｄ，１７ｅ  一時貯留・収納部
３７  出金部（繰出装置）
【図１】
2006195797.tif 000004
【図２】
2006195797.tif 000005